(57)【要約】      （修正有）【課題】簡単な構成で、接点部材の変形を抑制可能なカードコネクタを提供する。【解決手段】弾性腕と、弾性腕に設けられ且つ挿入されたカードの電極に接触する接触部と、を有する接点部材４１と、接触部の少なくともカード挿入側に設けられるガード部材４４と、ガード部材４４を保持するための弾性部材４３と、を備え、ガード部材４４は、弾性部材４５と一体形成され、接点部材４１の一部の上面に延在する延在部を有する。また、ガード部材４４は、弾性腕の下方に設けられていない。【選択図】図４
0003206859.tif 000002
【実用新案登録請求の範囲】
【請求項１】
弾性腕と、前記弾性腕に設けられ且つ挿入されたカードの電極に接触する接触部と、を有する接点部材と、
前記接触部の少なくともカード挿入側に設けられるガード部材と、
前記ガード部材を保持するための弾性部材と、を備え、
前記ガード部材は、
前記弾性部材と一体形成され、
前記接点部材の一部の上面に延在する延在部を有することを特徴とするカードコネクタ用の端子部品。
【請求項２】
前記ガード部材は、前記弾性腕の下方に設けられていないことを特徴とする請求項１に記載のカードコネクタ用の端子部品。
【請求項３】
前記弾性腕の下方に、前記弾性腕が下方向へ移動するのを許す空間が設けられていることを特徴とする請求項１に記載のカードコネクタ用の端子部品。
【請求項４】
前記ガード部材は、合成樹脂又は金属で形成されていることを特徴とする請求項１に記載のカードコネクタ用の端子部品。
【請求項５】
前記ガード部材は、前記接触部と離間して形成されていることを特徴とする請求項１に記載のカードコネクタ用の端子部品。
【請求項６】
前記ガード部材は、挿入されたカードに当接する場合前記接点部材と共に下へ移動するように構成され、
前記接点部材は、挿入されたカードに当接する場合前記ガード部材から独立して下へ移動するように構成されていることを特徴とする請求項１に記載のカードコネクタ用の端子部品。
【請求項７】
少なくとも前記カードが挿入されていない状態で、カードコネクタの厚さ方向において、前記ガード部材は前記接触部より低い位置に設けられることを特徴とする請求項１に記載のカードコネクタ用の端子部品。
【請求項８】
前記弾性腕は前記カードの挿入方向と直交する方向に沿って設けられていることを特徴とする請求項１に記載のカードコネクタ用の端子部品。
【請求項９】
前記接点部材の接触部は上方へ突出する曲面を有することを特徴とする請求項１に記載のカードコネクタ用の端子部品。
【請求項１０】
前記弾性部材は、前記接点部材を保持する部材に保持され、前記弾性腕と同一の工程で形成されたことを特徴とする請求項１に記載のカードコネクタ用の端子部品。
【請求項１１】
前記ガード部材は、前記接点部材を保持する部材と同一の工程で形成されたことを特徴とする請求項１に記載のカードコネクタ用の端子部品。
【請求項１２】
複数の前記接点部材に対応して、共通の前記ガード部材が設けられたことを特徴とする請求項１に記載のカードコネクタ用の端子部品。
【請求項１３】
前記弾性部材の数は、前記接点部材の数より少ないことを特徴とする請求項１２に記載のカードコネクタ用の端子部品。
【請求項１４】
請求項１〜１３のいずれか１項に記載されたカードコネクタ用の端子部品を備えることを特徴とするカードコネクタ。
【考案の詳細な説明】
【技術分野】
【０００１】
本考案は、カードコネクタ用の端子部品及びカードコネクタに関し、特に接点部材をガードするガード部材を有するカードコネクタ用の端子部品及びカードコネクタに関する。
【背景技術】
【０００２】
現在、携帯電話、タブレットデバイス等に取り付けられるＳＩＭカード、メモリカードを接続するためのカードコネクタには多くの種類があり、最近ではトレー式のカードコネクタが主流になる傾向があり、且つ１つのトレーで複数のカードを収納するという状況も増えてきている。
【０００３】
カードコネクタの接点部材の延在方向とカードの挿入方向とが一致しない場合に、挿入されたカードはこの延在方向の側方向又は逆方向から接点部材に当たり、特に非正常方式で挿入される場合、又は正常カード以外のものが誤って挿入される場合に、接点部材は異常な力を受け、接点部材が変形してしまう。
【０００４】
これに対し、接点部材の下方に下側ハウジングを設け、該下側ハウジングに接点部材をガードするためのガード部材を設けることが考えられるが、下側ハウジングを追加する分、カードコネクタの厚さを増すことになる。
【０００５】
また、特許文献１にはさらに、接点部材の形状を略三角形に形成し、三角形の２つの側辺を用いて挿入されたカードをガイドする考案が開示されている。しかし、形状が略三角形の接点部材は根元部が広いため、接点部材と挿入されたカードとの間の接触圧力は大きくなる傾向がある。カードコネクタの設置方式又は使用方式の相違によって、接点部材の接触圧力を小さく設定したいという状況が存在するが、特許文献１の構成ではこの状況に対応することが困難である。また、接触部にはガイド部が設けられていないため、正規のカードよりも細い異物等が誤って挿入された場合に、挿入された異物等が挿入方向に沿って接触部に直接当たるという事態が発生し、接点部材が変形してしまう可能性がある。さらに、カード挿入側には、別途に合成樹脂のガイド部が設けられており、カード挿入口側に一定の面積を残しておく必要があるため、カードコネクタの面積の極小化に不利である。
【先行技術文献】
【特許文献】
【０００６】
【特許文献１】中国実用新案登録第２０４３０４０３０号公報
【考案の概要】
【考案が解決しようとする課題】
【０００７】
上述のことに鑑みて、本考案は、簡単な構成で、接点部材の変形を抑制する可能なカードコネクタを提供する。
【課題を解決するための手段】
【０００８】
（１）本考案のカードコネクタ用の端子部品は、弾性腕と、前記弾性腕に設けられ且つ挿入されたカードの電極に接触する接触部と、を有する接点部材と、前記接触部の少なくともカード挿入側に設けられるガード部材と、前記ガード部材を保持するための弾性部材と、を備え、前記ガード部材は、前記弾性部材と一体形成され、前記接点部材の一部の上面に延在する延在部を有する。
【０００９】
（２）本考案のカードコネクタ用の端子部品において、前記ガード部材は、前記弾性腕の下方に設けられていないことが好ましい。
【００１０】
（３）本考案のカードコネクタ用の端子部品において、前記弾性腕の下方に、前記弾性腕が下方向へ移動するのを許す空間が設けられていることが好ましい。
【００１１】
（４）本考案のカードコネクタ用の端子部品において、前記ガード部材は、合成樹脂又は金属で形成されていることが好ましい。
【００１２】
（５）本考案のカードコネクタ用の端子部品において、前記ガード部材は、前記接触部と離間して形成されていることが好ましい。
【００１３】
（６）本考案のカードコネクタ用の端子部品において、前記ガード部材は、挿入されたカードに当接する場合前記接点部材と共に下へ移動するように構成され、前記接点部材は、挿入されたカードに当接する場合前記ガード部材から独立して下へ移動するように構成されていることが好ましい。
【００１４】
（７）本考案のカードコネクタ用の端子部品において、少なくとも前記カードが挿入されていない状態で、カードコネクタの厚さ方向において、前記ガード部材は前記接触部より低い位置に設けられることが好ましい。
【００１５】
（８）本考案のカードコネクタ用の端子部品において、前記弾性腕は前記カードの挿入方向と直交する方向に沿って設けられていることが好ましい。
【００１６】
（９）本考案のカードコネクタ用の端子部品において、前記接点部材の接触部は上方へ突出する曲面を有することが好ましい。
【００１７】
（１０）本考案のカードコネクタ用の端子部品において、前記弾性部材は、前記接点部材を保持する部材に保持され、前記弾性腕と同一の工程で形成されていることが好ましい。
【００１８】
（１１）本考案のカードコネクタ用の端子部品において、前記ガード部材は、前記接点部材を保持する部材と同一の工程で形成されていることが好ましい。
【００１９】
（１２）本考案のカードコネクタ用の端子部品において、複数の前記接点部材に対応して、共通の前記ガード部材が設けられていることが好ましい。
【００２０】
（１３）本考案のカードコネクタ用の端子部品において、前記弾性部材の数は、前記接点部材の数より少ないことが好ましい。
【００２１】
（１４）本考案のカードコネクタは、上記（１）〜（１３）のいずれか１項に記載されたカードコネクタ用の端子部品を備える。
【考案の効果】
【００２２】
上記（１）のカードコネクタ用の端子部品によれば、ガード部材を弾性部材に設けているため、ガード部材を形成するための下側ハウジングを別途に設ける必要がなく、カードコネクタの厚さが大きくなることを防止できる。また、異なるサイズの他のカード等が挿入された場合、又はカードが正常に挿入される時と異なる高さ位置で挿入された場合に、該カードはまず接触部のカード挿入側に位置するガード部材に接触してガード部材を下方へ移動させ、ガード部材の移動に伴って、ガード部材の延在部は弾性腕の上面を押し、弾性腕と接触部も下方へ移動する。これにより、誤って異なるサイズの他のカード等が挿入された場合、又はカードが正常に挿入される時と異なる高さ位置で挿入された場合であっても、弾性腕を下げることにより、挿入されたカードが接点部材に直接当たって接点部材が変形してしまうことを防止することができる。また、ガード部材が接触部付近の少なくともカード挿入側に設けられるため、端子部品のカード挿入口側にガイド部を設ける場合と比べて、カード挿入口側に一定の面積を残しておく必要がないため、端子部材の全体の挿入方向におけるサイズを小さくすることにより、サイズの面積の極小化を実現している。
【００２３】
上記（２）のカードコネクタ用の端子部品によれば、接触部の付近にガード部材を設けたが、ガード部材は、弾性腕の下方に設けられていないため、接点部材の接触部が挿入されたカードに接触して下方へ移動する際に、ガード部材からの抵抗力を受けることなく、ガード部材から独立して下方へ移動することができる。これにより、弾性腕の特性はガード部材からの影響を受けることなく、所望の弾性腕の特性を容易に得ることができ、適切な接点部材とカードとの間の接触圧力を得ることができる。
【００２４】
上記（３）のカードコネクタ用の端子部品によれば、接触部の付近にガード部材を設けたが、ガード部材の下方に、前記弾性腕が下方向へ移動するのを許す空間が設けられているため、接点部材の接触部が挿入されたカードに接触して下方へ移動する際に、ガード部材からの抵抗力を受けることなく、ガード部材から独立して下方へ移動することができる。これにより、弾性腕の特性はガード部材からの影響を受けることなく、所望の弾性腕の特性を容易に得ることにより、適切な接点部材とカードとの間の接触圧力を得ることができる。この場合に、前記空間を確保した前提で、弾性腕の下方にガード部材の一部を形成することもできる。
【００２５】
上記（４）のカードコネクタ用の端子部品によれば、ガード部材が合成樹脂からなる場合に、簡単にインサート成形によって弾性部材と一体に成形することができ、且つガード部材の数が１つであるかそれとも複数であるかに関わらず、インサート成形によって一括で成形を実現することができる。また、該ガード部材が回路基板における配線パターンに接触したとしても、短絡等の問題が発生しない。
【００２６】
上記（５）のカードコネクタ用の端子部品によれば、隙間が形成されている場合に、インサート成形によって一括でガード部材と接点部材を成形する際により容易になる。
【００２７】
上記（６）のカードコネクタ用の端子部品によれば、誤って異なるサイズの他のカード等が挿入された場合、又はカードが非正常高さ位置で挿入された場合であっても、弾性腕を下げることができ、挿入されたカードが接点部材に直接当たって接点部材が変形してしまうことを防止することができる。且つ、接点部材はガード部材から独立して下方へ移動することもでき、接点部材の弾性腕の特性はガード部材からの影響を受けることなく、所望の弾性腕の特性を容易に得られ、適切な接点部材とカードとの間の接触圧力を得ることができる。
【００２８】
上記（７）のカードコネクタ用の端子部品によれば、正規のカードが挿入された状態では、カードが接点部材の接触部に接触するが、厚さ方向において接触部の下方に位置するガード部材に接触しない、或いはガード部材と少し接触するように設けられているため、正規のカードの挿抜を繰り返しても、ガード部材に損傷を与えることはない。
【００２９】
上記（８）のカードコネクタ用の端子部品によれば、カードの挿入方向と接点部材の弾性腕の延在方向とが直交する場合、弾性腕が側方向からの力を受けて変形しやすいが、ガード部材のガイドによって、弾性腕が側方向からの力を直接受けることを回避し、さらに弾性腕が変形してしまうことを回避することができる。
【００３０】
上記（９）のカードコネクタ用の端子部品によれば、正規のカードが曲面状の接触部に接触した場合、接触部と正規のカードの電極との接触をスムーズに実現できる。挿入された異物がガード部材に接触せずに直接に接触部に接触したとしても、接触部が曲面状であるため、一定の程度で接触部が損傷されることを回避することができる。
【００３１】
上記（１０）のカードコネクタ用の端子部品によれば、弾性部材と接点部材とは同一の部材に保持され、且つ弾性部材は接点部材の弾性腕と同一の工程（例えば、プレス成形工程）で形成されるため、工程を増やすことなく弾性部材を形成することができる。
【００３２】
上記（１１）のカードコネクタ用の端子部品によれば、ガード部材と接点部材を保持する部材とは同一の工程（例えば、インサート成形工程）で形成されるため、工程を増やすことなくガード部材を形成することができる。
【００３３】
上記（１２）のカードコネクタ用の端子部品によれば、共通のガード部材が一体化されているため、ガード部材自身の強度が向上する。また、ガード部材を個別に形成する場合と比べて、共通のガード部材４４の金型構造が比較的に簡単であるため、生産コストがより低く、歩留まりがより高い。
【００３４】
上記（１３）のカードコネクタ用の端子部品によれば、挿入されたカードがガード部材に接触してガード部材を下へ移動させる場合、弾性部材からの抵抗力を低減することにより、スムーズな挿入を実現することができる。
【００３５】
上記（１４）のカードコネクタによれば、同様に上述の考案（１）〜（１３）の技術効果を得ることができる。
【図面の簡単な説明】
【００３６】
【図１】第１実施形態のカードコネクタの外観斜視図である。
【図２】(Ａ)〜（Ｃ）は第１実施形態のカードコネクタの分解斜視図である。
【図３】第１実施形態の端子部品と保持部材が分解された状態の斜視図である。
【図４】(Ａ)及び（Ｂ）は、第１実施形態の第１端子部品の拡大斜視図であり、(Ｂ)は(Ａ)の金属部分の拡大斜視図である。
【図５】(Ａ)は図４(Ａ)におけるＡ領域の拡大図であり、（Ｂ）は反対側から観察したＡ領域の拡大図である。
【図６】第１実施形態の第１端子部品の示す図であり、（Ａ）は平面図であり、（Ｂ）は側面図であり、(Ｃ)は底面図であり、（Ｄ）は正面図である。
【図７】カードを挿入する前後の第１端子部品と挿入されたカードとの間の位置関係を表す概略図であり、(Ａ)は正規カードを挿入する前の概略図であり、(Ｂ)は正規カードを挿入する後の概略図であり、(Ｃ)は非正規カードを挿入する前の概略図であり、(Ｄ)は非正規カードを挿入する後の概略図である。
【図８】(Ａ)及び（Ｂ）は、第２実施形態の第１端子部品の拡大斜視図であり、(Ｂ)は(Ａ)の金属部分の拡大斜視図である。
【図９】(Ａ)は図８(Ａ)におけるＢ領域の拡大図であり、(Ｂ)は反対側から観察したＢ領域の拡大図である。
【図１０】第２実施形態の第１端子部品の示す図であり、（Ａ）は平面図であり、(Ｂ)は側面図であり、(Ｃ)は底面図であり、（Ｄ）は正面図である。
【考案を実施するための形態】
【００３７】
以下、トレー式のカードコネクタを例として、本考案のカードコネクタを説明する。
図面において、Ｙ１方向はトレーの挿入方向を示し、Ｙ２方向はトレーの排出方向を示し、Ｘ１方向、Ｘ２方向は平面視でＹ１方向に直交する方向（左右方向）である左方向、右方向を示し、Ｚ１方向、Ｚ２方向はＸ１方向及びＹ１方向に直交する方向（厚さ方向）である上方向、下方向を示す。
【００３８】
（第１実施形態）
以下、図１〜図３を参照して、第１実施形態のカードコネクタの全体構成を説明する。
図１〜図３に示すように、カードコネクタ１００は、キャップ部材１、保持部材２、トレー３、第１端子部品４と第２端子部品５と第３端子部品６とを含む３つの端子部品、検出部材７、イジェクト回転部材８、及びイジェクトレバー９を備える。
【００３９】
キャップ部材１は金属からなり、Ｙ２方向側とＺ２方向側が開放される枠状に形成されている。保持部材２は金属からなり、Ｙ２方向側とＺ１方向側が開放される枠状に形成されている。保持部材２と、上方に位置するキャップ部材１とは、互いに係合可能な形状に成形され、トレー３を収納できるように一体に組み立てられている。
【００４０】
保持部材２とキャップ部材１とが組み立てられる前に、図２（Ａ）〜（Ｃ）に示すように、保持部材２に第１端子部品４、第２端子部品５、第３端子部品６、検出部材７、イジェクト回転部材８、及びイジェクトレバー９が固定されている。
【００４１】
トレー３は金属又は合成樹脂等からなり、Ｙ１方向に並んでいる第１カード収納部３１および第２カード収納部３２を有し、第１カード収納部３１と第２カード収納部３２とには、第１カードＣ１と第２カードＣ２とを同時に収納することができる。本実施形態において、第１カードＣ１はｎａｎｏＳＩＭカードであり、第２カードＣ２はｎａｎｏＳＩＭカードであってもよく、又はｍｉｃｒｏＳＤカードであってもよい。
【００４２】
トレー３のＹ２方向の側面は、ユーザがトレー３を押す際の操作部として機能し、該側面の右端には、孔３３が形成され、該孔３３はイジェクトピン（図示せず）等の操作具を通過させるサイズに形成されている。
【００４３】
第１端子部品４、第２端子部品５及び第３端子部品６は製造の際に選択可能な汎用部品である。該汎用部品の候補として、通常は、横向きのｎａｎｏＳＩＭ／ｍｉｃｒｏＳＩＭカード用の端子部品と、縦向きのｎａｎｏＳＩＭ／ｍｉｃｒｏＳＩＭカード用の端子部品と、縦向きのｍｉｃｒｏＳＤカード用の端子部品との３種の端子部品候補が用意されている。ここでの「縦向き」とは、カードの長手方向とカードの挿入方向とが一致する場合であり、「横向き」とは、カードの短手方向とカードの挿入方向とが一致する場合である。
【００４４】
本実施形態において、第１端子部品４と第３端子部品６とは横向きのｎａｎｏＳＩＭ／ｍｉｃｒｏＳＩＭカード用の端子部品である。第２端子部品５は縦向きのｍｉｃｒｏＳＤカード用の端子部品である。
【００４５】
また、図２(Ｃ)と図３に示すように、第１端子部品４、第２端子部品５及び第３端子部品６と、保持部材２との間の接合手段はカシメである。溶接の具体的な方式については、後文に詳しく説明する。
【００４６】
また、図２(Ａ)〜図２(Ｃ)に示すように、検出部材７は平面視でトレー３のカード挿入方向の奥側に設けられ、トレー３の収納状態を検出するための部品である。イジェクト回転部材８は平面視でトレー３のカード挿入方向の奥側に設けられ、イジェクトレバー９はトレー３の右側方に設けられ、イジェクト回転部材８の端部に連結されている。トレー３の孔３３を通過するイジェクトピン（図示せず）によってイジェクトレバー９を押し、イジェクト回転部材８を回転させることにより、トレー３がイジェクトされる。
【００４７】
以下、第１端子部品４を例として、図４(Ａ)〜図６(Ｄ)を参照して、端子部品の構成を説明する。
第１端子部品４は、６つの接点部材４１、１つのハウジング４２、４つの弾性部材４３、２つのガード部材４４、及び２つの接合部材４５からなる。そのうち、接点部材４１、弾性部材４３及び接合部材４５は金属からなり、それらは同じく金属板に対しプレス加工の工程を行うことにより得られた部材である。ハウジング４２とガード部材４４は合成樹脂からなり、それらは同じインサート成形工程により接点部材４１、弾性部材４３及び接合部材４５と一体に成形されている。
【００４８】
各接点部材４１は、弾性腕４１ａと、弾性腕４１ａの一端に設けられた接触部４１ｂとを有する。平面視の場合に、図６(Ａ)に示すように弾性腕４１ａは左右方向（Ｘ１又はＸ２方向）に延在して設けられ、且つ図６(Ｄ)に示すように、Ｙ１方向から観察する場合、弾性腕４１ａはさらに斜め上方に向かって延在している。接触部４１ｂは弾性腕４１ａのハウジング４２から離れる一端に位置し、挿入されたカードの電極と接触するためのものである。接触部４１ｂは上方へ突出する曲面を有し、該曲面は、例えば球状、スプーン状、アーチ状等である。
また、各接点部材４１の他方の端部４１ｃは、接点部材４１を実装基板に固定する際の半田付け脚として機能する。
【００４９】
弾性部材４３はＸ１−Ｘ２方向に延在する長尺状に形成され、一端はハウジング４２に保持され、弾性部材４３の他端はガード部材４４を保持するためのものである。図４(Ａ)に示すように、２つの弾性部材４３は共に１つのガード部材４４を保持する。本実施例において、弾性部材４３の数は接点部材４１の数より少ない。
【００５０】
図４(Ａ)に示すように、同じ側に位置する３つの接点部材４１は１つのガード部材４４を共用し、ガード部材４４は略直方体の形状に形成され、接触部４１ｂと隙間４７（図６(Ａ)及び図６(Ｃ)参照）だけ離間して接触部４１ｂの周囲に設けられている。
且つ、図６(Ｄ)に示すように、カードが挿入されていない状態で、カードコネクタ１００のＺ１方向において、ガード部材４４は接触部４１ｂより低い位置に設けられている。具体的に、Ｙ１方向から観察すると、ガード部材４４の上面は、半球形の接触部４１ｂの下面より低くない。
【００５１】
また、図６(Ｄ)に示すように、厚さ方向において、ガード部材４４の下面はハウジング４２の上面より少し低く、且つガード部材４４の上面はハウジング４２の上面より高いため、カード又は異物がガード部材４４の下面とハウジング４２の上面との間に挿入されることを回避している。
【００５２】
図５（Ａ）に示すように、ガード部材４４はＹ１方向側の端部とＹ２方向側の端部にそれぞれ傾斜面４４ａを有する。また、図６(Ｄ)等に示すように、ガード部材４４のハウジング４２から離れる側の端部には傾斜面４４ｂを有する。正規のカード以外の他のカード又は異物等が挿入されて該傾斜面４４ａと当たる場合、該傾斜面４４ａは他のカード又は異物等をガイドすることにより、接点部材４１が曲げられないように保護することができる。詳細な動作については、後に詳しく説明する。
【００５３】
また、ガード部材４４は弾性腕４１ａの上面に延在する延在部４４ｃを有し、該延在部４４ｃは弾性腕４１ａの幅方向（Ｙ１−Ｙ２方向）において弾性腕４１ａに跨っている。カードが挿入されていない初期状態では、該延在部４４ｃは弾性腕４１ａの上面に接触してもよく、弾性腕４１ａの上面との間に微小な隙間が存在してもよい。該延在部４４ｃが存在するため、ガード部材４４がＺ２方向へ移動すると、延在部４４ｃは弾性腕４１ａを押すことにより、弾性腕４１ａ及び接触部４１ｂはガード部材４４に連動して共にＺ２方向へ移動する。それにおいて、弾性腕４１ａの上面は、挿入されたカードと向き合う側の表面である。
【００５４】
一方、図６(Ｃ)に示すように、ガード部材４４は弾性腕４１ａの下方に設けられておらず、弾性腕４１ａの下方には空間が形成されているため、弾性腕４１ａはガード部材４４から独立してＺ２方向へ移動することができる。
【００５５】
図６(Ａ)と図６(Ｃ)に示すように、２つの接合部材４５はそれぞれハウジング４２のＹ１方向側の端部及びＹ２方向側の端部から露出する。露出した部分は略長方形であり、且つ該長方形の略中央の位置には、接合孔４６が設けられている。
【００５６】
一方、図３に示すように、保持部材２における該接合孔４６に対応する位置には、接合突起２ａが設けられ、接合突起２ａを接合孔４６に挿入させることにより、第１端子部品４と保持部材２との位置決めを実現できる。位置決めを行った後に、接合突起２ａの前端部を押し潰すことにより、第１端子部品４と保持部材２とのカシメを実現する。
【００５７】
図７(Ａ)と図７(Ｂ)は、正規のカードを挿入する前後の第１端子部品と挿入されたカードとの間の位置関係を表す概略図であり、図７(Ｃ)〜図７(Ｅ)は、非正規のカードを挿入する前後の第１端子部品と挿入されたカードとの間の位置関係を表す概略図である。図７(Ａ)〜図７(Ｅ)においては、第１端子部品４と、挿入された正規のカードＣ又は非正規のカードＣ’との位置関係を重点的に表示するため、第１端子部品４、キャップ部材１、及び保持部材２のみを模式的に示し、他の部材は省略した。
【００５８】
図７(Ａ)に示すように、正規のカードＣが挿入される場合、通常は、該正規のカードＣがガード部材４４に殆ど当たらない、或いはガード部材４４との間に少し当たるように構成され、正規のカードＣが接点部材４１の接触部４１ｂに接触する際に、曲面状の接触部４１ｂは正規のカードＣによる押圧力を受けてＺ２方向へ移動する。
【００５９】
図７(Ｂ)に示すように、正規のカードＣが第１端子部品４に完全に挿入されている場合、接触部４１ｂはＺ２方向へ移動し、ガード部材４４は殆ど移動しない。接触部４１ｂの厚さがガード部材４４の厚さ以下であることが好ましく、これによりＺ２方向へ移動した後の接触部４１ｂはガード部材４４の中に逃げて、ガード部材４４とほぼ同じ高さ位置に位置することができる。
【００６０】
図７(Ｃ)には、第１端子部品４に非正規のカードＣ’が挿入される場合が示されており、該非正規のカードＣ’の厚さは正規のカードＣより薄く、且つ該非正規のカードＣ’が挿入される際に、下面は正規のカードＣの下面より低い。従って、図７(Ｃ)において、該非正規のカードＣ’の前端側面はガード部材４４の傾斜面４４ａに当たる。
【００６１】
この場合、該傾斜面４４ａのガイドで、ガード部材４４はＺ２方向へ移動し、ガード部材４４の延在部４４ｃが弾性腕４１ａを押し下げることにより、弾性腕４１ａと接触部４１ｂもＺ２方向へ移動する。図７(Ｄ)に示すように、ガード部材４４と接点部材４１とは何れもＺ２へ移動するため、図７(Ｃ)におけるガード部材４４と保持部材２との間のＺ１方向における距離４８と比べて、図７(Ｄ)における該距離４８が小さくなる。
【００６２】
さらに、図７(Ｅ)に示すように、非正規のカードＣ’が第１端子部品４に完全に挿入されている場合、接触部４１ｂはさらにＺ２方向へ移動し、この場合、ガード部材４４は図７(Ｄ)の時と比べて殆ど移動しておらず、さらに移動した後の接触部４１ｂはガード部材４４中に逃げて、ガード部材４４とほぼ同じ高さ位置に位置している。
【００６３】
以下、本実施形態を用いることで奏する効果を説明する。
本実施形態のカードコネクタ１００によれば、ガード部材４４を弾性部材４３に設けているため、ガード部材４４を形成するための下側ハウジングを別途に設ける必要がなく、カードコネクタ１００の厚さが大きくなることを防止できる。また、異なるサイズの他のカード等が挿入された場合、又はカードが正常に挿入される時と異なる高さ位置で挿入された場合に、該カードはまず接触部４１ｂのカード挿入側に位置するガード部材４４に接触してガード部材４４を下方へ移動させ、ガード部材４４の移動に伴って、ガード部材４４の延在部４４ｃは弾性腕４１ａの上面を押し、弾性腕４１ａと接触部４１ｂも下方へ移動する。これにより、誤って異なるサイズの他のカード等が挿入された場合、又はカードが正常に挿入される時と異なる高さ位置で挿入された場合であっても、弾性腕４１ａを下げることにより、挿入されたカードが接点部材４１に直接に当たって接点部材４１が変形してしまうことを防止することができる。また、ガード部材４４が接触部４１ｂ付近の少なくともカード挿入側に設けられるため、端子部品のカード挿入口側にガイド部を設ける場合と比べて、カード挿入口側に一定の面積を残しておく必要がないため、端子部材の全体の挿入方向におけるサイズを小さくし、サイズの面積の極小化を実現している。
【００６４】
本実施形態のカードコネクタ１００によれば、接触部４１ｂの付近にガード部材４４を設けたが、ガード部材４４は、弾性腕４１ａの下方に設けられていないため、接点部材４１の接触部４１ｂが挿入されたカードに接触して下方へ移動する際に、ガード部材４４からの抵抗力を受けることなく、ガード部材４４から独立して下方へ移動することができる。これにより、弾性腕４１ａの特性はガード部材４４からの影響を受けることなく、所望の弾性腕４１ａの特性を容易に得ることにより、適切な接点部材４１とカードとの間の接触圧力を得ることができる。
【００６５】
本実施形態のカードコネクタ１００によれば、接触部４１ｂの付近にガード部材４４を設けたが、ガード部材４４の下方に、弾性腕４１ａが下方向へ移動するのを許す空間が設けられているため、接点部材４１の接触部４１ｂが挿入されたカードに接触して下方へ移動する際に、ガード部材４４からの抵抗力を受けることなく、ガード部材４４から独立して下方へ移動することができる。これにより、弾性腕４１ａの特性はガード部材４４からの影響を受けることなく、所望の弾性腕４１ａの特性を容易に得ることができ、適切な接点部材４１とカードとの間の接触圧力を得ることができる。この場合に、前記空間を確保した前提で、弾性腕４１ａの下方にガード部材４４の一部を形成することもできる。
【００６６】
本実施形態のカードコネクタ１００によれば、ガード部材４４が合成樹脂からなる場合に、インサート成形によって簡単に弾性部材４３と一体に成形することができ、且つガード部材４４の数が１つであるかそれとも複数であるかに関わらず、インサート成形によって一括で成形を実現することができる。また、該ガード部材４４が回路基板における配線パターンに接触したとしても、短絡等の問題が発生しない。
【００６７】
本実施形態のカードコネクタ１００によれば、隙間が形成されている場合に、インサート成形によって一括でガード部材４４と接点部材４１を成形する際により容易になる。
【００６８】
本実施形態のカードコネクタ１００によれば、誤って異なるサイズの他のカード等が挿入された場合、又はカードが正常に挿入される時と異なる高さ位置で挿入された場合であっても、弾性腕４１ａを下げることにより、挿入されたカードが接点部材４１に直接に当たって接点部材４１が変形してしまうことを防止することができる。且つ、接点部材４１はガード部材４４から独立して下方へ移動することもでき、接点部材４１の弾性腕４１ａの特性はガード部材４４からの影響を受けることなく、所望の弾性腕４１ａの特性を容易に得ることができ、適当な接点部材４１とカードとの間の接触圧力を得ることができる。
【００６９】
本実施形態のカードコネクタ１００によれば、正規のカードＣが挿入された状態では、カードが接点部材４１の接触部４１ｂに接触するが、厚さ方向において接触部４１ｂの下方に位置するガード部材４４に接触しない、或いはガード部材と少し接触するように設けられているため、正規のカードＣの挿抜を繰り返しても、ガード部材４４に損傷を与えることはない。
【００７０】
本実施形態のカードコネクタ１００によれば、カードの挿入方向と接点部材４１の弾性腕４１ａの延在方向とが直交する場合、弾性腕４１ａが側方向からの力を受けて変形しやすいが、ガード部材４４のガイドによって、弾性腕４１ａが側方向からの力を直接に受けることを回避し、さらに弾性腕４１ａが変形してしまうことを回避することができる。
【００７１】
本実施形態のカードコネクタ１００によれば、正規のカードＣが曲面状の接触部４１ｂに接触した場合、接触部４１ｂと正規のカードＣの電極との接触をスムーズに実現できる。挿入された異物がガード部材４４に接触せずに直接に接触部４１ｂに接触したとしても、接触部４１ｂが曲面状であるため、一定の程度で接触部４１ｂが損傷されることを回避することができる。
【００７２】
本実施形態のカードコネクタ１００によれば、弾性部材４３と接点部材４１とは同一の部材に保持され、且つ弾性部材４３は接点部材４１の弾性腕４１ａと同一の工程（例えば、プレス成形工程）で形成されるため、工程を増やすことなく弾性部材４３を形成することができる。
【００７３】
本実施形態のカードコネクタ１００によれば、ガード部材４４が合成樹脂からなるため、簡単にインサート成形によって弾性部材４３と一体に成形することができ、且つ該ガード部材４４が回路基板における配線パターンに接触したとしても、短絡等の問題が発生しない。さらに、ガード部材４４の数が１つであるかそれとも複数であるかに関わらず、インサート成形によって一括で成形を実現することができる。
【００７４】
本実施形態のカードコネクタ１００によれば、ガード部材４４と接点部材４１を保持する部材とは同一の工程（例えば、インサート成形工程）で形成されるため、工程を増やすことなくガード部材４４を形成することができる。
【００７５】
本実施形態のカードコネクタ１００によれば、共通のガード部材４４が一体化されているため、ガード部材４４自身の強度が向上する。また、ガード部材を個別に形成する場合と比べて、共通のガード部材４４の金型構造が比較的に簡単であるため、生産コストがより低く、歩留まりがより高い。
【００７６】
本実施形態のカードコネクタ１００によれば、挿入されたカードがガード部材４４に接触してガード部材４４を下へ移動させる場合、弾性部材４３からの抵抗力を低減することにより、スムーズに挿入することを実現できる。
【００７７】
なお、本考案の実施形態において傾斜面４４ｂはガイドの役割を殆ど果さないが、本実施形態における端子部品の設置方向が必要に応じて変更する可能性があることを考慮すると、カードの挿入方向と弾性腕４１ａの延在方向とが直交していない場合（例えば、挿入方向と弾性腕４１ａの延在方向とが逆である場合）に、傾斜面４４ｂも挿入されるカードをガイドする役割を果すことにより、接点部材４１が変形してしまうことを防止できる。
【００７８】
（第２実施形態）
第１実施形態と比べて、第２実施形態におけるカードコネクタは、ただ第１端子部品と第３端子部品の構造が少し異なり、具体的には、第２実施形態における弾性部材４３’とガード部材４４’の形状及び数が第１実施形態と異なる。以下、相違点を重点的に説明する。
【００７９】
図８(Ａ)〜図１０(Ｄ)に示すように、第２実施形態における第１端子部品４’は１２個の弾性部材４３’及び６つのガード部材４４’を有する。つまり、６つの接点部材４１と６つのガード部材４４’とは一つ一つ対応し、６つのガード部材４４’は互いに分離している。各ガード部材４４’は２つの弾性部材４３’に保持され、２つの弾性部材４３’は弾性腕４１’と離間して弾性腕４１’の両側に沿って延在する。
【００８０】
また、図９(Ａ)に示すように、各ガード部材４４’は弾性腕４１’の上面に延在する延在部４４ｃ’を有するが、該延在部４４’ｂは弾性腕４１’の幅方向に跨っておらず、弾性腕４１’の幅方向の両側から少し中央へ突出する形状である。延在部４４ｃ’の形状と第１実施形態における延在部４４ｃの形状とは異なるが、実現する機能は同じである。挿入されたカード又は異物等がガード部材４４’の傾斜面４４ａ’に接触してガード部材４４’がＺ２方向へ移動する場合、該延在部４４ｃ’は、延在部４４ｃ’の真下に位置する弾性腕４１ａの一部である被押圧部４１ｄを押すことにより、接点部材４１がガード部材４４’と共にＺ２方向へ移動する。
【００８１】
（他の実施形態）
以上では、本考案の好ましい実施形態の回転コネクタを説明したが、本考案は、上述の実施形態に限らず、主旨から離れない範囲内に、種々の変更を行って実施することができる。例えば、以下の実施形態も本考案の技術範囲に属する。
【００８２】
第１と第２実施形態において、ガード部材は何れも合成樹脂からなるが、これに限らず、金属からなるものであってもよい。例えば、金属板に対しプレス加工の工程を行うことにより、接点部材と一体になるガード部材及び弾性部材を得ることができる。この場合、延在部は、弾性部材の一部を折り曲げることにより実現することもでき、細長い金属片を弾性腕に跨がらせて弾性部材に溶接することにより実現することもできる。
【００８３】
また、ガード部材の形状もこれに限らず、例えばガード部材を、接点部材を保持するハウジング側に延在させ、接点部材の根元部まで延在させることができる。このように、ガード部材は接触部をガードすると共に、弾性腕もガードでき、挿入されたカード又は異物が狭いものであっても、弾性腕の側方が直接当たって変形してしまうことを防止できる。
【００８４】
また、第１実施形態と第２実施形態における２種の延在部の形状は、交換できるものである。延在部の形状及び設置位置も適当に変更することができる。例えば、延在部を接触部の少なくとも一部の上面に設けて、ガード部材が下方へ移動する際に、延在部による接点部材の接触部への押圧によって、接点部材をガード部材と共に下方へ移動させることもできる。
【００８５】
また、第１実施形態における弾性部材の数は接点部材の数より少ないが、実際には弾性部材の数はこれに限らず、必要に応じて適切に変更することができる。
【００８６】
また、第１と第２実施形態におけるガード部材と接触部との間は何れも離間しているが、実際には接触部がガード部材から独立して下へ移動できればよく、この隙間を設けなくてもよく、或いはこの隙間をより小さくしてもよい。
【００８７】
また、第１と第２実施形態において、接触部の周囲の３つの方向にガード部材が設けられているが、実際にはガード部材を接触部の少なくともカード挿入側のみに設けることで、弾性腕を下げることにより、挿入されたカードが接点部材に直接当たって接点部材が変形してしまうことを防止することができる。
【００８８】
また、第１端子部品と保持部材とを組み合わせる方式はカシメに限らず、圧入式の接続、レーザ溶接等の接合の方式を用いることもできる。
【００８９】
また、図７(Ａ)〜図７(Ｅ)に示す正規のカードと非正規のカードが挿入されたものは、１つの例に過ぎず、当然正規のカードと非正規のカードの厚さ及び挿入される際の高さ方向における位置は任意のものであってもよい。挿入されたカードが接点部材の接触部のみに接触する場合であっても、先にガード部材に接触してから接点部材の接触部に接触する場合であっても、本考案は挿入されたカードを効果的にガイドすることにより、接点部材が変形してしまうことを防止することができる。
【符号の説明】
【００９０】
１００  カードコネクタ
１  キャップ部材
２  保持部材
２ａ  接合突起
３  トレー
３１  第１カード収納部
３２  第２カード収納部
３３  孔
４  第１端子部品
４１  接点部材
４１ａ  弾性腕
４１ｂ  接触部
４１ｃ  端部
４１ｄ  被押圧部
４２  ハウジング
４３  弾性部材
４４  ガード部材
４４ａ、４４ｂ  傾斜面
４４ｃ  延在部
４５  接合部材
４６  接合孔
４７  隙間
４８  距離
５  第２端子部品
６  第３端子部品
７  検出部材
８  イジェクト回転部材
９  イジェクトレバー
【図１】
0003206859.tif 000003
【図２】
0003206859.tif 000004
【図３】
0003206859.tif 000005
【図４】
0003206859.tif 000006
【図５】
0003206859.tif 000007
【図６】
0003206859.tif 000008
【図７】
0003206859.tif 000009
【図８】
0003206859.tif 000010
【図９】
0003206859.tif 000011
【図１０】
0003206859.tif 000012